(57)【要約】      （修正有）【課題】バール等の工具によって穿り出されたり、引き抜かれない切削破壊防止部材を具備したポップアウト型扉用ロックハンドル装置を提供する。【解決手段】錠前ユニット１０の頭部１２を硬質材のガードフード１３の筒部１４に嵌合して、錠前ユニットをハンドル軸７の錠前格納部１５に嵌合し、前記筒部の外向き鍔部１６を錠前格納部の前端周縁の環状凹部１７に嵌合し、錠前ユニットの頭部と主体胴部１８間の段差肩面部１９を前記筒部の後端周縁の内向き鍔部２０に当接させ、主体胴部に螺合した固定リング２２を前記内向き鍔部に当接させ、ハンドル軸の横断方向の受孔２３にＵ字形固定金具２４を嵌挿し、固定金具の脚部の制止突起２６を前記固定リングの外周溝２７に係合させ、固定金具を前記ハンドル軸にビスによって締付け固着する。【選択図】図２
2007046419.tif 000002
【特許請求の範囲】
【請求項１】
扉１に固着されるハンドルケ−ス２の軸筒部３に内筒４を回転可能かつ前後に移動不能に嵌挿し、扉１を筐体に対して錠止する施錠部材５を前記内筒４の後端部に連結し、ハンドル軸７を前記内筒４に回転不能かつ前後に摺動可能に嵌挿し、前記内筒４と前記ハンドル軸７間に挿入したバネ部材８によってハンドル６を前方に移動付勢し、前記ハンドル軸７の後部に設けた施錠機構９によって前記ハンドル軸７を前記内筒４に対して拘束し、前記ハンドル軸７の前部に錠前ユニット１０を組み込み固定し、前記錠前ユニット１０のロータ１１の回転によって前記施錠機構９を直接または間接的に駆動して、前記ハンドル軸７の移動拘束を解除するようにしたポップアウト型扉用ロックハンドル装置において、
前記錠前ユニット１０の頭部１２を硬質材のガードフード１３の筒部１４に嵌合して、前記錠前ユニット１０を前記ハンドル軸７の前部の錠前格納部１５に嵌合し、前記筒部１４の前端周縁の外向き鍔部１６を前記錠前格納部１５の前端周縁の環状凹部１７に嵌合し、前記錠前ユニット１０の前記頭部１２と主体胴部１８間にある段差肩面部１９を前記筒部１４の後端周縁の内向き鍔部２０に当接させ、前記主体胴部１８の外周螺子部２１に螺合した固定リング２２を前記ガードフード１４の前記内向き鍔部２０に当接させ、前記ハンドル軸７の横断方向の受孔２３にＵ字形固定金具２４を嵌挿し、前記固定金具２４の脚部２５の制止突起２６を前記固定リング２２の外周溝２７に係合させ、前記固定金具２４を前記ハンドル軸７にビス２８によって締付け固着したことを特徴とするポップアウト型扉用ロックハンドル装置。
【発明の詳細な説明】
【技術分野】
【０００１】
本発明は、自動販売機等の扉に使用され、ハンドル軸に組み込んである錠前ユニットのロータを正規の鍵で所定方向に回すと、ハンドルがハンドルケースから突出するポップアウト型の扉用ロックハンドル装置に関するものである。
【背景技術】
【０００２】
扉に固着されるハンドルケ−スの軸筒部に内筒を回転可能かつ前後に移動不能に嵌挿し、扉を筐体に対して錠止する施錠部材を前記内筒の後端部に連結し、ハンドル軸を前記内筒に回転不能かつ前後に摺動可能に嵌挿し、前記内筒と前記ハンドル軸間に挿入したバネ部材によってハンドルを前方に移動付勢し、前記ハンドル軸の後部に設けた施錠機構によって前記ハンドル軸を前記内筒に対して拘束し、前記ハンドル軸の前部に錠前ユニットを組込み固定してあり、前記錠前ユニットのロータを正規の鍵で所定方向に回すことによって、ロータによって前記施錠機構を直接または間接的に駆動され、前記内筒に対する前記ハンドル軸の移動拘束が解除されるようにしたポップアウト型扉用ロックハンドル装置は、既に知られている（特許文献１参照）。
【０００３】
前記ハンドル軸に対する前記錠前ユニットの組込み固定は、前記錠前ユニットを前記ハンドル軸の前部に形成した錠前格納部に嵌合し、前記錠前ユニットの主体胴部の外周螺子部に固定リングを螺合し、前記ハンドル軸の横断方向の受孔にＵ字形固定金具を嵌挿し、前記固定金具の脚部内面の制止突起を前記固定リングの外周溝に係合させ、前記固定金具を前記ハンドル軸にビスによって締付け固着することによって行われている。
【０００４】
前記固定金具は前記錠前ユニットを前記ハンドル軸に対して回転不能にするとともに、前記錠前格納部からの抜取りを阻止する重要部品であるが、この存在を察知した盗犯者が前記錠前ユニットと錠前格納部の境界部表面にドリルやホールソー等の切削工具を突き立て、前記境界部を深く切削して前記固定金具を破壊し、前記錠前ユニットを前記錠前格納部から抜取って、前記施錠機構を直接操作して前記ハンドルを操作可能位置に突出させることが行なわれている。
【０００５】
このような切削破壊の対策として、錠前ユニットを前記ハンドル軸の前記錠前格納部に組込む際に、硬質材よりなる板状ガードリングを前記錠前格納部の前端周縁の環状凹部に嵌合し、前記錠前ユニットの前端鍔部で押さえ付けることが提案されている。しかしながら、この対策では、前記ガードリングの装着状態を察知した盗犯者が、バール等の工具を前記ガードリングと前記環状凹部間の隙間に突き入れたり、該隙間境界部に打撃力を加えることによって、前記ガードリングを前記環状凹部から穿り出したり、叩き出すことが比較的容易であり、防犯対策としては一定の限界がある。
【０００６】
【特許文献１】特許第２７０４３８７号公報
【発明の開示】
【発明が解決しようとする課題】
【０００７】
本発明の課題は、バール等の工具によって穿り出されたり、引き抜かれることがない切削破壊防止部材を具備したポップアウト型扉用ロックハンドル装置を提供することである。
【課題を解決するための手段】
【０００８】
本発明の主たる特徴は、扉１に固着されるハンドルケ−ス２の軸筒部３に内筒４を回転可能かつ前後に移動不能に嵌挿し、扉１を筐体に対して錠止する施錠部材５を前記内筒４の後端部に連結し、ハンドル軸７を前記内筒４に回転不能かつ前後に摺動可能に嵌挿し、前記内筒４と前記ハンドル軸７間に挿入したバネ部材８によってハンドル６を前方に移動付勢し、前記ハンドル軸７の後部に設けた施錠機構９によって前記ハンドル軸７を前記内筒４に対して拘束し、前記ハンドル軸７の前部に錠前ユニット１０を組み込み固定し、前記錠前ユニット１０のロータ１１の回転によって前記施錠機構９を直接または間接的に駆動して、前記ハンドル軸７の移動拘束を解除するようにしたポップアウト型扉用ロックハンドル装置において、
前記錠前ユニット１０の頭部１２を硬質材のガードフード１３の筒部１４に嵌合して、前記錠前ユニット１０を前記ハンドル軸７の前部の錠前格納部１５に嵌合し、前記筒部１４の前端周縁の外向き鍔部１６を前記錠前格納部１５の前端周縁の環状凹部１７に嵌合し、前記錠前ユニット１０の前記頭部１２と主体胴部１８間にある段差肩面部１９を前記筒部１４の後端周縁の内向き鍔部２０に当接させ、前記主体胴部１８の外周螺子部２１に螺合した固定リング２２を前記ガードフード１４の前記内向き鍔部２０に当接させ、前記ハンドル軸７の横断方向の受孔２３にＵ字形固定金具２４を嵌挿し、前記固定金具２４の脚部２５の制止突起２６を前記固定リング２２の外周溝２７に係合させ、前記固定金具２４を前記ハンドル軸７にビス２８によって締付け固着したことである。
【発明の効果】
【０００９】
本発明のポップアウト型扉用ロックハンドル装置では、前記ガードフード１３は前記筒部１４に前記錠前ユニット１０の前記頭部１２を嵌合した状態で前記ハンドル軸７の前記錠前格納部１５に嵌合され、前記ガードフード１３の前記内向き鍔部２０が前記錠前ユニット１０の前記頭部１２と主体胴部１８間にある段差肩面部１９と、前記錠前ユニット１０の前記主体胴部１８に螺合した前記固定リング２２との間に挟持されているため、前記ハンドル６の前面の前記環状凹部１７内に露出している前記ガードフード１３の前記外向き鍔部１６を打撃したり、前記外向き鍔部１６と前記環状凹部１６間の隙間に工具を突き入れたりしても、前記挟持状態にある前記内向き鍔部２０が大きな抵抗要素として働き、前記ガードフード１３を前記錠前格納部１５から穿り出したり、抜取ることができない。
そのため、前記ガードフード１３は本来の切削破壊阻止部材としての機能を喪失することがなく、防犯性能に優れたポップアウト型扉用ロックハンドル装置が得られる。
【発明を実施するための最良の形態】
【００１０】
前記ハンドルケース２、内筒４、施錠部材５、ハンドル６、ハンドル軸７、錠前ユニット１０、固定リング２２、固定金具２２などの各構成部品を金属材料やエンジニアリングプラスチックで製作すれば、使用中の機械的な打撃や歪曲変形に対して強くなる。
前記ガードフード１３は、焼入れ処理された金属製であり、ドリル等の切削工具による切削に対して高い抵抗力を有する硬質かつ堅牢な材質のものである。
【実施例】
【００１１】
図１から図５に示した実施例では、錠前ユニット１０の前記ロータ１１と前記施錠機構９との間にはジョイント部材２９が挿入され、前記ロータ１０からの回転力は前記ジョイント部材２９を介して施錠機構９の動作部に伝達される。錠前ユニット１０の前記主体胴部１８には全長にわたって外周螺子部２１が形成されており、前記主体胴部２１の相対向する側面部は互いに平行に削除されており、主体胴部２１の横断面は所謂小判状に形成されている。ハンドル軸７の前記錠前格納部１５の底部には、小判型開口部が形成され、これに前記主体胴部２１の後端部が嵌合することによって、前記錠前ユニット１０は前記ハンドル軸７に対して回転不能に嵌合されている。
【００１２】
Ｕ字形固定金具２４の一対の脚部２５，２５は互いに平行に形成されている。前記ハンドル軸７には、前記錠前格納部１５に一部交差するように一対の受孔２３，２３がハンドル軸７の直径方向に形成されており、前記脚部２４，２４を前記受孔２３，２３に嵌挿された前記固定金具２４は、前記ハンドル軸７に対して回転不能になっている。横断面小判形状の前記主体胴部１８の平坦な一対の側面部が前記脚部２５，２５に当接しているため、これによっても前記錠前ユニット１０は前記ハンドル軸７に対して回転不能に制止されている。
【００１３】
前記受孔２３，２３の間に切り残されたハンドル軸７の壁部３０には螺子孔３１が形成されており、Ｕ字形固定金具２４の脚部接続辺部３２の内面溝部３３に前記壁部３０が嵌合するようになっている。前記ビス２８は、前記脚部接続辺部３２に形成した透孔３４を通して前記螺子孔３１に捻じ込まれている。
本実施例では、前記ガードフード１３の前記外向き鍔部１６の外周形状は前記筒部１４の軸心を中心とする円形になっており、前記ハンドルケース２の前記環状凹部１７の内周形状も同様な円形になっている。そのため、前記ガードフード１３は前記錠前ユニット１０に対して回転可能であり、前記外向き鍔部１６にホールソーのビットを突き当てて回転させたときには、該ビットと一緒に前記ガードフード１３が空転するようになっている。
【００１４】
前記脚部接続辺部３２は、前記内筒４に形成した回り止め用ガイド溝３５に嵌合しており、これによって前記ハンドル軸７は前記内筒４に対して回転不能であって前後方向に摺動可能になっている。前記内筒４の後端部には、内筒４の前進移動を阻止するストッパ板３６が取り付けられている。前記内筒４の後方移動は、前端鍔部３７によって阻止されている。
【００１５】
図６から図９に示した別の実施例では、前記ガードフード１３の後端部の内向き鍔部２０の内周面で形成される形状は所謂小判型であり、この小判型開口部に前記横断面小判型の主体胴部１８が嵌合するため、前記ガードフード１３は前記錠前ユニット１０及び前記ハンドル軸７に対して回転不能になっている。
この実施例では、前記ガードフード１３の前記外向き鍔部１６は縦長の非円形状になっている。前記ハンドルケース２の前記環状凹部１７の内周形状も同様な非円形状になっている。この形態の外向き鍔部１６によれば、前記実施例における円形状の外向き鍔部１６と比較して、切削破壊に対する防御範囲が広くなっている。
その他の構成は上記実施例と同様であるので説明を省略する。
【図面の簡単な説明】
【００１６】
【図１】本発明の一実施例に係るポップアウト型扉用ロックハンドル装置の正面図である。
【図２】図１のＡ−Ａ線断面図である。
【図３】図２のＢ−Ｂ線断面図である。
【図４】図１の扉用ロックハンドル装置に使用したガードリングの正面図である。
【図５】図４のＣ−Ｃ線断面図である。
【図６】本発明の別の実施例におけるガードリングの正面図である。
【図７】図６のＤ−Ｄ線断面図である。
【図８】図６のガードリングを使用したポップアウト型扉用ロックハンドル装置の正面図である。
【図９】図８のＥ−Ｅ線断面図である。
【符号の説明】
【００１７】
１  扉
２  ハンドルケ−ス
３  軸筒部
４  内筒
５  施錠部材
６  ハンドル
７  ハンドル軸
８  バネ部材
９  施錠機構
１０  錠前ユニット
１１  ロータ
１２  錠前ユニットの頭部
１３  ガードフード
１４  ガードフードの筒部
１５  錠前格納部
１６  ガードフードの外向き鍔部
１７  ハンドルケースの環状凹部
１８  錠前ユニットの主体胴部
１９  錠前ユニットの段差肩面部
２０  ガードフードの内向き鍔部
２１  主体胴部の外周螺子部
２２  固定リング
２３  受孔
２４  Ｕ字形固定金具
２５  脚部
２６  脚部の制止突起
２７  固定リングの外周溝
２８  ビス
２９  ジョイント部材
３０  ハンドル軸の壁部
３１  螺子孔
３２  脚部接続辺部
３３  内面溝部
３４  透孔
３５  内筒の回り止め用ガイド溝
３６  ストッパー板
３７  内筒の前端鍔部
【図１】
2007046419.tif 000003
【図２】
2007046419.tif 000004
【図３】
2007046419.tif 000005
【図４】
2007046419.tif 000006
【図５】
2007046419.tif 000007
【図６】
2007046419.tif 000008
【図７】
2007046419.tif 000009
【図８】
2007046419.tif 000010
【図９】
2007046419.tif 000011